(57)【要約】【課題】登録処理を行うＷｅｂサーバごとにデータベースを用意することなく、Ｗｅｂサーバから利用者端末へ送信した入力画面における利用者による文字入力を容易に支援できるようにする。【解決手段】入力支援画面送信部１２により、利用者端末３からの入力支援要求に応じて入力支援画面用Ｗｅｂページを利用者端末３へ送信し、データ検索部１４により、利用者端末３からの検索要求に応じてデータベース１５を検索し、得られた検索結果を利用者端末３へ送信し、入力支援画面での利用者の転記操作に応じて入力支援画面用Ｗｅｂページのスクリプトを実行して、検索結果を元の入力画面へ転記する。【選択図】  図１
2008117259.tif 000002
【特許請求の範囲】
【請求項１】
データ通信網を介して受信したＷｅｂページに基づいて各種情報処理を行う利用者端末で、Ｗｅｂサーバから受信した入力画面用Ｗｅｂページに対して利用者が所望のデータを操作入力する際に、前記利用者によるデータ入力操作を支援する入力支援装置であって、
所定の検索条件を入力するための検索条件入力欄、前記検索条件に対応する検索情報の検索を指示するための検索ボタン、当該入力支援装置から通知した検索結果を表示するための検索結果表示欄、検索完了を指示するための検索完了ボタン、および前記検索完了ボタンの操作に応じて前記検索結果を転記先情報で指定された前記入力画面用Ｗｅｂページの入力領域へ転記する処理を前記利用者端末で実行するためのスクリプト、が記述された入力支援画面用Ｗｅｂページを予め記憶する記憶部と、
検索条件と検索情報の対応関係を予め記憶するデータベースと、
前記利用者端末からの入力支援要求に応じて、前記記憶部から前記入力支援画面用Ｗｅｂページを読み出し、前記入力支援要求で通知された入力領域識別情報を検索結果の転記先情報として前記入力支援画面用Ｗｅｂページへ記述した後に前記利用者端末へ送信する入力支援画面送信部と、
前記利用者端末からの検索要求に応じて、当該検索要求で通知された検索条件に基づき前記データベースを検索し、得られた検索結果を前記利用者端末へ通知するデータ検索部と
を備えることを特徴とする入力支援装置。
【請求項２】
請求項１に記載の入力支援装置において、
前記記憶部は、入力支援を行う入力画面用ＷｅｂページのＵＲＬ示すＵＲＬリストを予め記憶し、
前記利用者端末からの前記入力画面用Ｗｅｂページに対するアクセス要求に応じた前記Ｗｅｂサーバからの認証要求に応じて、当該認証要求で通知された前記入力画面用ＷｅｂページのＵＲＬと前記ＵＲＬリストとを比較して認証確認を得た後、所定の許可情報を生成して前記利用者端末に対する前記入力画面用Ｗｅｂページおよび当該許可情報の送信指示を前記Ｗｅｂサーバへ通知する認証確認部をさらに備え、
前記入力支援画面送信部は、前記Ｗｅｂサーバから受信した許可情報を含む前記利用者端末からの入力支援要求に応じて、その許可情報に基づき当該入力支援要求の正当性を得た後、前記転記先情報を記述した入力支援画面用Ｗｅｂページの送信を行う
ことを特徴とする入力支援装置。
【発明の詳細な説明】
【技術分野】
【０００１】
本発明は、Ｗｅｂサービス技術に関し、特にＷｅｂサーバから取得した入力画面に対する文字入力を支援する入力支援技術に関する。
【背景技術】
【０００２】
近年、Ｗｅｂサービス技術の発展に伴い、インターネットを介してショッピングなどの会員制サービスが広く利用されている。このような会員制サービスを利用する場合、利用者は予め会員登録をする必要がある。
この種の会員登録は、インターネットで申し込みを行うことができる。例えば、利用者はパソコンや携帯端末を操作し、インターネットを介して会員登録用の入力画面へアクセスし、その入力画面上でＩＤ、パスワード、氏名、住所などの各種項目にそれぞれ必要事項を入力し、登録操作を行えばよい。
【０００３】
従来、このような入力画面に住所などの文字情報を入力する際、その入力操作を支援する入力支援技術が利用されている（例えば、非特許文献１など参照）。このような入力支援技術では、予め郵便番号と住所の対応関係を示すデータベースを用意しておき、例えば郵便番号に基づいて都道府県から市区町村や町名までの住所を検索して自動的に入力したり、住所に基づいて郵便番号を自動的に入力する機能を有している。
【０００４】
【非特許文献１】https://grp02.id.rakuten.co.jp/rms/nid/mregistfwd，楽天会員登録画面
【発明の開示】
【発明が解決しようとする課題】
【０００５】
しかしながら、このような従来技術では、入力支援用のデータベースを維持管理する必要があり、個々の登録受付用Ｗｅｂサーバでデータベースを更新するには、多くの作業負担が必要となるという問題点があった。特に、郵便番号や住所は頻繁に更新されるため、これに合わせて個々の会員登録受付用のＷｅｂサーバで住所データベースを更新するには、多くの作業負担が必要となる。
本発明はこのような課題を解決するためのものであり、登録処理を行うＷｅｂサーバごとにデータベースを用意することなく、Ｗｅｂサーバから利用者端末へ送信した入力画面における利用者による文字入力を容易に支援することができる入力支援装置を提供することを目的としている。
【課題を解決するための手段】
【０００６】
このような目的を達成するために、本発明にかかる入力支援装置は、データ通信網を介して受信したＷｅｂページに基づいて各種情報処理を行う利用者端末で、Ｗｅｂサーバから受信した入力画面用Ｗｅｂページに対して利用者が所望のデータを操作入力する際に、利用者によるデータ入力操作を支援する入力支援装置であって、所定の検索条件を入力するための検索条件入力欄、検索条件に対応する検索情報の検索を指示するための検索ボタン、当該入力支援装置から通知した検索結果を表示するための検索結果表示欄、検索完了を指示するための検索完了ボタン、および検索完了ボタンの操作に応じて検索結果を転記先情報で指定された入力画面用Ｗｅｂページの入力領域へ転記する処理を利用者端末で実行するためのスクリプト、が記述された入力支援画面用Ｗｅｂページを予め記憶する記憶部と、検索条件と検索情報の対応関係を予め記憶するデータベースと、利用者端末からの入力支援要求に応じて、記憶部から入力支援画面用Ｗｅｂページを読み出し、入力支援要求で通知された入力領域識別情報を検索結果の転記先情報として入力支援画面用Ｗｅｂページへ記述した後に利用者端末へ送信する入力支援画面送信部と、利用者端末からの検索要求に応じて、当該検索要求で通知された検索条件に基づきデータベースを検索し、得られた検索結果を利用者端末へ通知するデータ検索部とを備える。
【０００７】
この際、記憶部で、入力支援を行う入力画面用ＷｅｂページのＵＲＬ示すＵＲＬリストを予め記憶し、利用者端末からの入力画面用Ｗｅｂページに対するアクセス要求に応じたＷｅｂサーバからの認証要求に応じて、当該認証要求で通知された入力画面用ＷｅｂページのＵＲＬとＵＲＬリストとを比較して認証確認を得た後、所定の許可情報を生成して利用者端末に対する入力画面用Ｗｅｂページおよび当該許可情報の送信指示をＷｅｂサーバへ通知する認証確認部をさらに備え、入力支援画面送信部で、Ｗｅｂサーバから受信した許可情報を含む利用者端末からの入力支援要求に応じて、その許可情報に基づき当該入力支援要求の正当性を得た後、転記先情報を記述した入力支援画面用Ｗｅｂページの送信を行うようにしてもよい。
【発明の効果】
【０００８】
本発明によれば、入力支援画面送信部により、利用者端末からの入力支援要求に応じて入力支援画面用Ｗｅｂページが利用者端末へ送信され、データ検索部により、利用者端末からの検索要求に応じて得られた検索結果が利用者端末へ送信され、利用者の転記操作に応じて入力支援画面用Ｗｅｂページのスクリプトが実行されて、検索結果が元の入力画面へ転記される。
したがって、登録処理を行うＷｅｂサーバごとに入力支援用のデータベースを用意することなく、Ｗｅｂサーバから利用者端末へ送信した入力画面における利用者による文字入力を容易に支援することができる。
【０００９】
また、入力支援画面送信部により、利用者端末からの入力支援要求で通知された入力領域識別情報を検索結果の転記先情報として入力支援画面用Ｗｅｂページへ記述して利用者端末３へ送信されるため、同一入力画面に同種の入力領域が複数存在する場合でも、入力支援画面で得られた検索結果を所望の入力領域へ転記することができる。
【発明を実施するための最良の形態】
【００１０】
次に、本発明の実施の形態について図面を参照して説明する。
［第１の実施の形態］
まず、図１を参照して、本発明の第１の実施の形態にかかる入力支援装置について説明する。図１は、本発明の第１の実施の形態にかかる入力支援システムと入力支援装置の構成を示すブロック図である。
【００１１】
この入力支援システムは、インターネットなどのデータ通信網４を介して相互に接続された、入力支援装置１、Ｗｅｂサーバ２、および利用者端末３から構成されている。
この入力支援装置１は、サーバ装置などの情報処理装置からなり、インターネットなどのデータ通信網４を介して受信したＷｅｂページに基づいて各種情報処理を行う利用者端末３で、Ｗｅｂサーバ２から受信した入力画面用Ｗｅｂページに対して利用者が所望のデータを操作入力する際に、利用者によるデータ入力操作を支援する入力支援装置である。
【００１２】
Ｗｅｂサーバ２は、サーバ装置などの情報処理装置からなり、データ通信網４を介したアクセスに基づいて対応するＷｅｂページを送信する機能を有している。また、利用者端末３は、パーソナルコンピュータや携帯通信端末などの情報処理装置からなり、データ通信網４を介して任意のＷｅｂサーバ２へアクセスして所望のＷｅｂページを受信し情報処理するブラウザ機能を有している。これらＷｅｂサーバ２や利用者端末３は、それぞれ、情報処理部、データ通信部、画面表示部、操作入力部、記憶部など情報処理装置が有する一般的な構成を備えており、ここでの詳細な説明は省略する。
【００１３】
本実施の形態は、所定の検索条件を入力するための検索条件入力欄、検索条件に対応する検索情報の検索を指示するための検索ボタン、当該入力支援装置から通知した検索結果を表示するための検索結果表示欄、検索完了を指示するための検索完了ボタン、および検索完了ボタンの操作に応じて検索結果を転記先情報で指定された入力画面用Ｗｅｂページの入力領域へ転記する処理を利用者端末で実行するためのスクリプト、が記述された入力支援画面用Ｗｅｂページを、予め記憶部に記憶しておき、利用者端末からの入力支援要求に応じて、記憶部から入力支援画面用Ｗｅｂページを読み出し、入力支援要求で通知された入力領域識別情報をスクリプトによる検索結果の転記先情報として当該入力支援画面用Ｗｅｂページへ記述した後に利用者端末へ送信し、利用者端末からの検索要求に応じて、当該検索要求で通知された検索条件に基づきデータベースを検索し、得られた検索結果を利用者端末へ通知するようにしたものである。
【００１４】
次に、図１を参照して、本発明の第１の実施の形態にかかる入力支援装置の構成について説明する。
この入力支援装置１には、主な機能部として、通信インターフェース部（以下、通信Ｉ／Ｆ部という）１１、入力支援画面送信部１２、記憶部１３、データ検索部１４、およびデータベース１５が設けられている。
【００１５】
通信Ｉ／Ｆ部１１は、専用の通信回路からなり、データ通信網４を介してＷｅｂサーバ２や利用者端末３との間で各種データを送受信する機能を有している。
記憶部１３は、ハードディスクやメモリ回路などの記憶装置からなり、ＨＴＭＬなどのマークアップ文書からなる入力支援画面用Ｗｅｂページなど、各種情報を記憶する機能を有している。
データベース１５は、ハードディスクなどの記憶装置からなり、郵便番号と住所の対応関係など、検索条件と検索情報の対応関係を記憶する機能を有している。
【００１６】
入力支援画面送信部１２は、通信Ｉ／Ｆ部１１を介して受信した利用者端末からの入力支援要求に応じて、記憶部から入力支援画面用Ｗｅｂページを読み出す機能と、入力支援要求で通知された入力領域識別情報をスクリプトによる検索結果の転記先情報として入力支援画面用Ｗｅｂページへ記述した後に、通信Ｉ／Ｆ部１１を介して利用者端末へ送信する機能とを有している。
【００１７】
データ検索部１４は、通信Ｉ／Ｆ部１１を介して受信した利用者端末３からの検索要求に応じて、当該検索要求で通知された検索条件に基づきデータベース１５を検索する機能と、得られた検索結果を通信Ｉ／Ｆ部１１を介して利用者端末３へ通知する機能とを有している。
これら入力支援画面送信部１２およびデータ検索部１４は、ＣＰＵとその周辺回路を有する情報処理部を用いて実現すればよい。例えば、記憶部１３に予め格納されているプログラム（図示せず）を上記ハードウェアで読み込んで実行することにより、上記ハードウェアとプログラムとを協働させて、入力支援画面送信部１２やデータ検索部１４などの機能部を実現できる。
【００１８】
［入力画面］
次に、図２を参照して、本発明の第１の実施の形態にかかる入力支援装置で入力支援する入力画面について説明する。図２は、入力画面例である。
一般に、インターネット上のＷｅｂサーバで提供されている各種サービスのうち、会員制のサービスを利用する場合、利用者は予め会員登録をする必要がある。この種の会員登録は、利用者端末からインターネットを介して会員登録用の入力画面へアクセスし、その入力画面上でＩＤ、パスワード、氏名、住所などの各種項目にそれぞれ必要事項を入力し、登録操作を行えばよい。
【００１９】
本実施の形態にかかる入力支援装置１では、このような入力画面に対して利用者が所望のデータを操作入力する際に、利用者によるデータ入力操作を支援する。
図２の入力画面は、ＨＴＭＬなどのマークアップ文書からなる入力画面用Ｗｅｂページから構成されており、利用者端末３のブラウザ機能により画面表示される。この入力画面例では、「認証情報」、「住所」、「勤務先」など複数の入力領域が設けられており、それぞれの入力領域には利用者が所望のデータを操作入力するための入力欄が複数設けられている。これら入力欄については、例えばインプットタグ"<input>"やテキストエリアタグ"<textarea>"など、一般的なＨＴＭＬの要素を利用して実現すればよい。
【００２０】
これら入力領域のうち、入力支援装置１で入力支援する入力領域には、入力支援装置１に対して入力支援を要求するための入力支援要求ボタンが設けられている。図２の例では、「住所」入力領域と「勤務先」入力領域のそれぞれに、「郵便番号から住所検索」と「住所から郵便番号検索」という２つの入力支援要求ボタンが設けられている。これら入力支援要求ボタンは、それぞれネットワークアドレス情報であるＵＲＬ（Uniform Resource Locator）を用いて、入力支援装置１で提供する入力支援画面用Ｗｅｂページにリンク付けされている。
【００２１】
利用者は、任意の入力領域に設けられている入力支援要求ボタンを押下することにより、当該の入力領域において入力支援を受けることができる。入力支援要求ボタンは、例えばインプットタグ"<input>"やアンカータグ"<a>"など、一般的なＨＴＭＬの要素を利用して実現すればよい。
【００２２】
入力画面用Ｗｅｂページでは、各入力領域を識別するための入力領域ＩＤ（入力領域識別情報）が予め設定されている。図２の例では、「住所」入力領域に「home」という入力領域ＩＤが設定されており、「勤務先」入力領域に「office」という入力領域ＩＤが設定されている。これら入力領域ＩＤについては、例えばフォームタグ"<form>"など、それぞれの入力領域に対応するＨＴＭＬの要素の属性"id"や"name"を用いて設定すればよい。それぞれの入力領域に設けられた入力支援要求ボタンの押下に応じて、当該入力領域の入力領域ＩＤが入力支援要求とともに入力支援装置１へ通知される。この際、入力領域ＩＤは、例えばリンク付けに用いたＵＲＬの変数として通知すればよい。
【００２３】
また、入力画面には、Ｗｅｂサーバ２に対して入力データを送信するための登録ボタンが設けられている。利用者は、各入力領域の各項目に対して必要なデータを入力した後、登録ボタンを押下する。これにより、各項目に入力されたデータがＷｅｂサーバ２へ送信され、会員登録処理が行われる。
【００２４】
［入力支援画面］
次に、図３および図４を参照して、本発明の第１の実施の形態にかかる入力支援装置から送信する入力支援画面について説明する。図３は、郵便番号から住所を検索する際に用いられる入力支援画面例である。図４は、住所から郵便番号を検索する際に用いられる入力支援画面例である。
本実施の形態にかかる入力支援装置１では、利用者端末３からの入力支援要求に応じて、入力支援装置１のデータベース１５を検索する機能と、得られた検索結果を元の入力画面へ転記する機能とを提供するため、利用者端末３へ入力支援画面を送信する。
【００２５】
図３および図４の入力支援画面は、ＨＴＭＬなどのマークアップ文書からなる入力画面用Ｗｅｂページから構成されており、利用者端末３のブラウザ機能により画面表示される。これら入力支援画面例では、「検索条件」という入力領域と「検索結果」という表示領域が設けられている。
【００２６】
例えば、図３の場合には、郵便番号から住所を検索するため、「検索条件」には郵便番号を入力する入力欄が設けられており、「検索結果」入力領域には住所を表示する表示欄が設けられている。一方、図４の場合には、住所から郵便番号を検索するため、「検索条件」には住所を入力する入力欄が設けられており、「検索結果」表示領域には郵便番号を表示する表示欄が設けられている。これに入力欄や表示欄は、例えばインプットタグ"<input>"やテキストエリアタグ"<textarea>"など、一般的なＨＴＭＬの要素を利用して実現すればよい。
【００２７】
「検索条件」入力領域には、入力支援装置１に対してデータ検索を要求するための検索ボタンが設けられている。この検索ボタンは、ネットワークアドレス情報であるＵＲＬを用いて、入力支援装置１で提供するデータ検索用のプログラム、例えばＰＨＰやＪＡＶＡサーブレット（ＪＡＶＡ：登録商標）などのＷｅｂアプリケーションプログラムにリンク付けされている。
利用者は、入力欄に検索条件を操作入力した後、検索ボタンを押下することにより、当該検索条件に応じた検索結果を得ることができる。検索ボタンは、例えばインプットタグ"<input>"やアンカータグ"<a>"など、一般的なＨＴＭＬの要素を利用して実現すればよい。
【００２８】
「検索結果」表示欄には、検索結果を元の入力画面へ転記するための転記ボタンが設けられている。この転記ボタンは、所定のスクリプトを起動するためのコマンドを用いて、当該入力支援画面用Ｗｅｂページに記述されている、例えばJavaScriptやvbscriptなどを用いた検索結果転記用のスクリプトにリンク付けされている。
利用者は、表示欄に検索結果が表示された後、転記ボタンを押下することにより、当該検索結果を元の入力画面の入力領域へ転記することができる。転記ボタンは、例えばインプットタグ"<input>"やアンカータグ"<a>"など、一般的なＨＴＭＬの要素を利用して実現すればよい。
【００２９】
なお、入力支援画面の一部に広告表示領域を設け、利用者端末からの入力支援要求に応じて入力支援画面を表示する際、任意の広告を表示するようにしてもよい。特に、入力支援装置１を用いて入力支援サービスを提供する際、当該広告の表示による広告主からの収益により、Ｗｅｂサーバ管理者や利用者に対して入力支援サービスを無償で提供することができる。
【００３０】
［第１の実施の形態の動作］
次に、図５および図６を参照して、本発明の第１の実施の形態にかかる入力支援システムおよび入力支援装置の動作について説明する。図５は、本発明の第１の実施の形態にかかる入力支援システムおよび入力支援装置の動作を示すシーケンス図である。図６は、本発明の第１の実施の形態にかかる利用者端末と入力支援装置の動作を示す説明図である。
【００３１】
利用者は、Ｗｅｂサーバ２で会員登録などの任意の登録処理を行う場合、まず、利用者端末３でブラウザ機能の起動操作を行い（ステップ１００）、ブラウザ機能を起動する（ステップ１０１）。このブラウザ機能は、利用者端末３で、例えばInternet Explorer（商標登録）やNetscape Navigatorなどのアプリケーションプログラムを実行することにより実現される。
【００３２】
ブラウザ機能において、利用者が、所望の登録処理を行うため、Ｗｅｂサーバ２へのアクセス操作を行った場合（ステップ１０２）、利用者端末３からデータ通信網４を介してＷｅｂサーバ２へアクセス要求が送信され（ステップ１０３）、これに応じて、図６に示すような、当該登録処理のための入力画面用Ｗｅｂページ５０がＷｅｂサーバ２から利用者端末３へ返送される（ステップ１０４）。
【００３３】
利用者端末３は、ブラウザ機能により入力画面用Ｗｅｂページ５０を情報処理して、図２に示したような入力画面を画面表示する（ステップ１０５）。入力画面用Ｗｅｂページ５０は、図６に示すように、Ｗｅｂページの書式が記述されたヘッダ部５１と画面表示内容が記述されたボディ部５２から構成されている。
【００３４】
ボディ部５２は、図２の「住所」入力領域に相当する入力領域５３と図２の「勤務先」入力領域に相当する入力領域５４から構成されており、最後に登録ボタン５５が設けられている。
入力領域５３には、入力領域ＩＤとして「home」が設定されており、データ入力欄５３Ａや入力支援ボタン５３Ｂが配置されている。また、入力領域５４には、入力領域ＩＤとして「office」が設定されており、データ入力欄５４Ａや入力支援ボタン５４Ｂが配置されている。
【００３５】
利用者により入力支援ボタン５３Ｂが押下された場合、この入力支援操作に応じて（ステップ１０６）、利用者端末３と入力支援装置１との間でデータ通信網を介して、ステップ１５１〜１６１に示す入力支援処理が開始される（ステップ１５０）。
【００３６】
まず、利用者端末３は、ブラウザ機能により、当該入力支援ボタン５３Ｂにリンク付けされている入力支援画面用Ｗｅｂページを指定した入力支援要求を、データ通信網４を介して入力支援装置１へ送信する（ステップ１５１）。この際、入力支援要求により、入力画面のうち当該入力支援ボタン５３Ｂが配置されている入力領域５３の入力領域ＩＤ「home」が入力支援装置１へ通知される。
【００３７】
入力支援装置１の入力支援画面送信部１２は、通信Ｉ／Ｆ部１１を介して入力支援要求を受信した場合、記憶部１３から入力支援画面用Ｗｅｂページを読み出し（ステップ１５２）、入力支援要求で通知された入力領域識別情報をスクリプトによる検索結果の転記先情報として入力支援画面用Ｗｅｂページへ記述した後に、通信Ｉ／Ｆ部１１を介して利用者端末３へ送信する（ステップ１５３）。
【００３８】
利用者端末３は、ブラウザ機能により、入力支援画面用Ｗｅｂページ６０を情報処理して、図３に示したような入力支援画面を画面表示する（ステップ１５４）。入力支援画面は、入力画面とは異なるウィンドウを用いて、例えば入力画面の前面にポップアップ表示される。入力支援画面用Ｗｅｂページ６０は、図６に示すように、Ｗｅｂページの書式が記述されたヘッダ部６１、利用者端末３で実行されるスクリプトが記述されたスクリプト部６２、および画面表示内容が記述されたボディ部６３から構成されている。
【００３９】
スクリプト部６２には、検索結果の転記先を示す転記先情報６２Ａと、転記処理の各ステップを示すスクリプトからなる検索結果転記処理６２Ｂが記述されている。
ボディ部６３は、図３の「検索条件」入力領域の入力欄に相当する入力欄６３Ａおよび検索ボタンに相当する検索ボタン６３Ｂと、図３の「検索結果」表示領域の表示欄に相当する表示欄６３Ｃおよび転記ボタンに相当する転記ボタン６３Ｄから構成されている。
【００４０】
利用者により、入力欄６３Ａに郵便番号が入力された後、検索ボタン６３Ｂが押下された場合、この検索操作に応じて（ステップ１５５）、利用者端末３は、当該検索ボタン６３Ｂにリンク付けされているデータ検索用のプログラムを指定した検索要求を、データ通信網４を介して入力支援装置１へ送信する（ステップ１５６）。この際、検索要求により、入力欄６３Ａに入力された検索条件が入力支援装置１へ通知される。
【００４１】
入力支援装置１のデータ検索部１４は、通信Ｉ／Ｆ部１１を介して検索要求を受信した場合、当該検索要求で指定されたデータ検索用のプログラム（Ｗｅｂアプリケーションプログラム）を実行して、当該検索要求で通知された検索条件に基づきデータベース１５を検索し（ステップ１５７）、得られた検索結果を通信Ｉ／Ｆ部１１を介して利用者端末３へ通知する（ステップ１５８）。
【００４２】
利用者端末３は、ブラウザ機能により入力支援装置１から通知された検索結果を表示欄６３Ｃへ入力して画面表示する（ステップ１５９）。この際、入力支援装置１から利用者端末３に対して検索結果のみを通知してもよく、検索条件や検索結果を記述した新たな入力支援画面用Ｗｅｂページを、入力支援装置１から利用者端末３に対して送り直し、利用者端末３で表示されている入力支援画面を更新表示してもよい。
【００４３】
この後、利用者により、表示欄６３Ｃの検索結果が確認され必要に応じて表示欄６３Ｃの内容が追加修正された後、転記ボタン６３Ｄが押下された場合、この転記操作に応じて（ステップ１６０）、利用者端末３は、当該転記ボタン６３Ｄにリンク付けされている検索結果転記処理６２Ｂのスクリプトを起動して実行する。
これに応じて、検索結果転記処理６２Ｂは、表示欄６３Ｃの検索結果を読み出し、転記先情報６２Ａの転記先に基づいて、元の入力画面用Ｗｅｂページ５０の所定入力領域のデータ入力欄へ転記し（ステップ１６１）、転記終了後、ブラウザ機能による当該入力支援画面の表示を終了する。
【００４４】
この際、転記するデータが複数欄にわたる場合には、予め表示欄６３Ｃとデータ入力欄５３Ａの間で、「都道府県」、「市区町村」、「町名・番地」などの欄ごとにＩＤや名前を用いて転記対象を対応付けておけばよい。また、入力画面用Ｗｅｂページ５０の入力支援ボタン５３Ｂ，５４Ｂの操作に応じて入力支援画面用Ｗｅｂページ６０を開いているため、入力画面用Ｗｅｂページ５０と入力支援画面用Ｗｅｂページ６０が、ブラウザ機能において親子関係となる。したがって、親画面の識別情報として汎用の識別情報を用いることができ、子画面の入力支援画面用Ｗｅｂページ６０から親画面の入力画面用Ｗｅｂページ５０を検索結果転記処理６２Ｂのスクリプトで容易に指定することができる。
【００４５】
このようにして、利用者端末３の入力画面上での入力支援操作に応じて、利用者端末３と入力支援装置１との間でデータ通信網を介してステップ１５０の入力支援処理が繰り返し実行される。
【００４６】
したがって、図６の場合、ステップ１０６において、例えば入力領域５３の入力支援ボタン５３Ｂが押下された場合には、その入力領域５３の入力領域ＩＤ「home」が入力支援要求により入力支援装置１へ通知されて、転記先情報６２Ａとして「home」が記述された入力支援画面用Ｗｅｂページ６０が入力支援装置１から利用者端末３へ送信される。これにより、ステップ１２０では、「home」を示す転記先情報６２Ａに基づいて、表示欄６３Ｃの検索結果が元の入力画面用Ｗｅｂページ５０の入力領域５３のデータ入力欄５３Ａへ転記される。
【００４７】
一方、ステップ１０６において、例えば入力領域５４の入力支援ボタン５４Ｂが押下された場合には、その入力領域５４の入力領域ＩＤ「office」が入力支援要求により入力支援装置１へ通知されて、転記先情報６２Ａとして「office」が記述された入力支援画面用Ｗｅｂページ６０が入力支援装置１から利用者端末３へ送信される。これにより、ステップ１２０では、「office」を示す転記先情報６２Ａに基づいて、表示欄６３Ｃの検索結果が元の入力画面用Ｗｅｂページ５０の入力領域５４のデータ入力欄５４Ａへ転記される。
【００４８】
このようにして、入力画面用Ｗｅｂページ５０の各入力欄に所望のデータを入力した後、利用者が登録ボタン５５を押下した場合、この登録操作に応じて（ステップ１１０）、利用者端末３は、ブラウザ機能により、当該登録ボタン５５にリンク付けされている登録処理用プログラム（Ｗｅｂアプリケーションプログラム）を指定した登録要求を、データ通信網４を介してＷｅｂサーバ２へ送信する（ステップ１１１）。この際、登録要求により、入力画面のうち各入力領域に設けられているデータ入力欄５３Ａ，５４Ａなどのデータ入力欄に入力されている所望のデータがＷｅｂサーバ２へ通知される。
【００４９】
Ｗｅｂサーバ２は、この登録要求に応じて、指定された登録処理用プログラムを実行して、当該登録要求で通知された各データに基づいて利用者に関する会員登録などの登録処理を行い（ステップ１１２）、一連の登録処理が終了する。
【００５０】
このように、本実施の形態では、入力支援装置１の記憶部１３に、所定の検索条件を入力するための検索条件入力欄、検索条件に対応する検索情報の検索を指示するための検索ボタン、当該入力支援装置から通知した検索結果を表示するための検索結果表示欄、検索完了を指示するための検索完了ボタン、および検索完了ボタンの操作に応じて検索結果を転記先情報で指定された入力画面用Ｗｅｂページの入力領域へ転記する処理を利用者端末で実行するためのスクリプト、が記述された入力支援画面用Ｗｅｂページを、予め記憶しておく。
【００５１】
そして、利用者端末３からの入力支援要求に応じて、入力支援画面送信部１２により、記憶部１３から入力支援画面用Ｗｅｂページを読み出し、入力支援要求で通知された入力領域識別情報を検索結果の転記先情報として当該入力支援画面用Ｗｅｂページへ記述した後に利用者端末３へ送信し、利用者端末３からの検索要求に応じて、データ検索部１４により、当該検索要求で通知された検索条件に基づきデータベース１５を検索し、得られた検索結果を利用者端末３へ通知する。
【００５２】
このため、利用者端末３からの入力支援要求に応じて入力支援画面用Ｗｅｂページが利用者端末３へ送信され、この入力支援画面用Ｗｅｂページを用いて所望のデータを検索した後、利用者の転記操作に応じて入力支援画面用Ｗｅｂページのスクリプトが実行されて、検索結果が元の入力画面へ転記される。
したがって、登録処理を行うＷｅｂサーバ２ごとに入力支援用のデータベースを用意することなく、Ｗｅｂサーバ２から利用者端末３へ送信した入力画面における利用者による文字入力を容易に支援することができる。
【００５３】
また、登録処理に用いる入力画面に同種の入力領域が複数存在する場合、検索結果を所望の入力領域へ転記できないという問題点がある。例えば、会員登録の際、自宅住所だけでなく勤務先住所も入力する場合には、同一入力画面で異なる住所を入力する必要がある。
本実施の形態では、入力支援画面送信部１２により、利用者端末３からの入力支援要求で通知された入力領域識別情報を検索結果の転記先情報として入力支援画面用Ｗｅｂページへ記述して利用者端末３へ送信するようにしたので、同一入力画面に同種の入力領域が複数存在する場合でも、入力支援画面で得られた検索結果を所望の入力領域へ転記することができる。
【００５４】
また、本実施の形態は、Ｗｅｂサーバ２に設けられていた入力支援機能を入力支援装置１という異なるサーバに分離して入力支援機能の一般化を実現するためのものと捉えることができ、複数のＷｅｂサーバ２に対して入力支援機能を提供することができる。
この際、入力支援画面の一部に広告表示領域を設け、利用者端末からの入力支援要求に応じて入力支援画面を表示する際、任意の広告を表示すれば、当該広告の表示による広告主からの収益により、Ｗｅｂサーバ管理者や利用者に対して入力支援サービスを無償で提供することができ、入力支援装置１を用いて極めて大きな社会的利益のある入力支援サービスを提供することが可能となる。
【００５５】
［第２の実施の形態］
次に、図７を参照して、本発明の第２の実施の形態について説明する。図７は、本発明の第１の実施の形態にかかる入力支援システムと入力支援装置の構成を示すブロック図である。
本実施の形態では、入力支援装置１により入力支援を行う際、特定の入力画面用Ｗｅｂページに対してのみ入力支援を行う場合について説明する。
【００５６】
第１の実施の形態と比較して、本実施の形態にかかる入力支援装置１には、認証確認部１６が追加されている。
認証確認部１６は、利用者端末３からの入力画面用Ｗｅｂページに対するアクセス要求に応じたＷｅｂサーバからの認証要求に応じて、予め記憶部１３に記憶しておいた、当該認証要求で通知された入力画面用ＷｅｂページのＵＲＬとＵＲＬリストとを比較して認証確認する機能と、所定の許可情報を生成して利用者端末に対する入力画面用Ｗｅｂページおよび当該許可情報の送信指示をＷｅｂサーバへ通知する機能とを有している。
【００５７】
一般に、Ｗｅｂページへのアクセスに応じてサーバとクライアントとの間で個別情報をやり取りする機能として、ＨＴＴＰ（HyperText Transfer Protocol）で提供されているクッキー（Cookie）機能がある。クッキー機能は、サーバから送信された個別情報をクライアントのブラウザ機能で保存し、その後のクライアントからサーバに対するアクセスで、保存しておいた個別情報を通知する場合に用いられる。
【００５８】
また、入力支援画面送信部１２は、第１の実施の形態で説明した機能に加え、Ｗｅｂサーバ２から受信した許可情報を含む利用者端末３からの入力支援要求に応じて、当該許可情報の正当性を得た後、転記先情報を記述した入力支援画面用Ｗｅｂページの送信を行う機能を有している。
なお、本実施の形態にかかる入力支援装置１の他の構成については、第１の実施の形態と同様であり、ここでの詳細な説明は省略する。
【００５９】
［第２の実施の形態の動作］
次に、図８および図９を参照して、本発明の第２の実施の形態の動作について説明する。図８は、本発明の第２の実施の形態にかかる入力支援システムおよび入力支援装置の動作を示すシーケンス図である。図９は、本発明の第２の実施の形態にかかる利用者端末と入力支援装置の動作を示す説明図である。
【００６０】
利用者は、Ｗｅｂサーバ２で会員登録などの任意の登録処理を行う場合、まず、利用者端末３でブラウザ機能の起動操作を行い（ステップ２００）、ブラウザ機能を起動する（ステップ２０１）。このブラウザ機能は、利用者端末３で、例えばInternet Explorer（商標登録）やNetscape Navigatorなどのアプリケーションプログラムを実行することにより実現される。
【００６１】
ブラウザ機能において、利用者が、所望の登録処理を行うため、Ｗｅｂサーバ２へのアクセス操作を行った場合（ステップ２０２）、利用者端末３からデータ通信網４を介してＷｅｂサーバ２へアクセス要求が送信され（ステップ２０３）、これに応じてＷｅｂサーバ２から入力支援装置１へ、当該登録処理のための入力画面用Ｗｅｂページに対応するＵＲＬを含む認証要求が送信される（ステップ２０４）。
【００６２】
入力支援装置１の認証確認部１６は、通信Ｉ／Ｆ部１１を介して認証要求を受信した場合、当該認証要求で指定された認証確認用のプログラム（Ｗｅｂアプリケーションプログラム）を実行して、当該認証要求で通知されたＵＲＬと記憶部１３のＵＲＬリストを比較して認証確認を行う（ステップ２０５）。
ＵＲＬリストは、当該入力支援装置１で入力支援を行うべき入力画面用ＷｅｂページのＵＲＬがそれぞれ登録されたリストであり、予めＷｅｂサーバ２の管理者との契約で入力画面用ＷｅｂページのＵＲＬがＵＲＬリストに登録される。
【００６３】
ここで、当該認証要求で通知されたＵＲＬがＵＲＬリストに登録されており、当該認証要求に対する認証確認が得られた場合、認証確認部１６は、当該認証要求に固有の許可情報を生成する（ステップ２０６）。この許可情報の内容としては、例えば入力支援装置１の入力支援機能を利用可能な期限や回数、さらには許可情報の真贋判定のための暗号情報などを用いればよい。また、この際、許可情報を用いた入力支援要求の正当性確認のための許可確認情報を記憶部１３に保存しておいてもよい。
【００６４】
この後、当該ＵＲＬに対応する入力画面用Ｗｅｂページの送信指示に許可情報とＵＲＬを付加して、要求元のＷｅｂサーバ２へ送信する（ステップ２０７）。この送信指示としては、ＨＴＴＰのリダイレクト機能を用いればよい。このリダイレクト機能は、所定のＵＲＬに対するアクセス要求を他のＵＲＬへ転送する機能である。これにより、ステップ２０３により利用者端末３からＷｅｂサーバ２へのアクセス要求のＵＲＬを、Ｗｅｂサーバ２から入力支援装置１への認証要求用ＷｅｂアプリケーションプログラムのＵＲＬとしておけば、入力支援装置１からのリダイレクト機能を利用した画面送信指示に応じて、利用者端末３のアクセス先が認証要求用ＷｅｂアプリケーションプログラムのＵＲＬから入力画面用ＷｅｂページのＵＲＬに切り替えられ、利用者端末３に対して本来の入力画面用ＷｅｂページがＷｅｂサーバ２から送信されることになる。
【００６５】
このようにして、図６に示したような、当該登録処理のための入力画面用Ｗｅｂページ５０に、入力支援装置１で生成された許可情報が付加されて、Ｗｅｂサーバ２から利用者端末３へ返送される（ステップ２０８）。
【００６６】
利用者端末３は、ブラウザ機能により入力画面用Ｗｅｂページ５０を情報処理して、図２に示したような入力画面を画面表示する（ステップ２０９）。このとき、入力画面用Ｗｅｂページ５０に付加されていた許可情報５０Ａもメモリに保存される。
入力画面用Ｗｅｂページ５０は、図６に示したように、Ｗｅｂページの書式が記述されたヘッダ部５１と画面表示内容が記述されたボディ部５２から構成されている。
【００６７】
ボディ部５２は、図２の「住所」入力領域に相当する入力領域５３と図２の「勤務先」入力領域に相当する入力領域５４から構成されており、最後に登録ボタン５５が設けられている。
入力領域５３には、入力領域ＩＤとして「home」が設定されており、データ入力欄５３Ａや入力支援ボタン５３Ｂが配置されている。また、入力領域５４には、入力領域ＩＤとして「office」が設定されており、データ入力欄５４Ａや入力支援ボタン５４Ｂが配置されている。
【００６８】
利用者により入力支援ボタン５３Ｂが押下された場合、この入力支援操作に応じて（ステップ２１０）、利用者端末３と入力支援装置１との間でデータ通信網を介して、ステップ２５１〜２６２に示す入力支援処理が開始される（ステップ２５０）。
【００６９】
まず、利用者端末３は、ブラウザ機能により、当該入力支援ボタン５３Ｂにリンク付けされている入力支援画面用Ｗｅｂページを指定した入力支援要求を、データ通信網４を介して入力支援装置１へ送信する（ステップ２５１）。この際、入力支援要求により、入力画面のうち当該入力支援ボタン５３Ｂが配置されている入力領域５３の入力領域ＩＤ「home」が入力支援装置１へ通知される。また、入力画面用Ｗｅｂページ５０の受信時に保存した許可情報５０Ａも入力支援要求により入力支援装置１へ通知される。
【００７０】
入力支援装置１の入力支援画面送信部１２は、通信Ｉ／Ｆ部１１を介して入力支援要求を受信した場合、当該入力支援要求に付加されている許可情報５０Ａに基づき当該入力支援要求の正当性を確認する（ステップ２５２）。この場合、許可情報５０Ａに含まれる、利用可能な期限や回数、さらには暗号情報に基づき入力支援要求の正当性を確認してもよく、許可情報生成時に記憶部１３に保存しておいた許可確認情報を用いて入力支援要求の正当性を確認してもよい。
【００７１】
このようにして、入力支援要求の正当性を確認した後、入力支援画面送信部１２は、記憶部１３から入力支援画面用Ｗｅｂページを読み出し（ステップ２５３）、入力支援要求で通知された入力領域識別情報をスクリプトによる検索結果の転記先情報として入力支援画面用Ｗｅｂページへ記述した後に、通信Ｉ／Ｆ部１１を介して利用者端末３へ送信する（ステップ２５４）。
【００７２】
利用者端末３は、ブラウザ機能により、入力支援画面用Ｗｅｂページ６０を情報処理して、図３に示したような入力支援画面を画面表示する（ステップ２５５）。入力支援画面は、入力画面とは異なるウィンドウを用いて、例えば入力画面の前面にポップアップ表示される。入力支援画面用Ｗｅｂページ６０は、図６に示したように、Ｗｅｂページの書式が記述されたヘッダ部６１、利用者端末３で実行されるスクリプトが記述されたスクリプト部６２、および画面表示内容が記述されたボディ部６３から構成されている。
【００７３】
スクリプト部６２には、検索結果の転記先を示す転記先情報６２Ａと、転記処理の各ステップを示すスクリプトからなる検索結果転記処理６２Ｂが記述されている。
ボディ部６３は、図３の「検索条件」入力領域の入力欄に相当する入力欄６３Ａおよび検索ボタンに相当する検索ボタン６３Ｂと、図３の「検索結果」表示領域の表示欄に相当する表示欄６３Ｃおよび転記ボタンに相当する転記ボタン６３Ｄから構成されている。
【００７４】
利用者により、入力欄６３Ａに郵便番号が入力された後、検索ボタン６３Ｂが押下された場合、この検索操作に応じて（ステップ２５６）、利用者端末３は、当該検索ボタン６３Ｂにリンク付けされているデータ検索用のプログラムを指定した検索要求を、データ通信網４を介して入力支援装置１へ送信する（ステップ２５７）。この際、検索要求により、入力欄６３Ａに入力された検索条件が入力支援装置１へ通知される。
【００７５】
入力支援装置１のデータ検索部１４は、通信Ｉ／Ｆ部１１を介して検索要求を受信した場合、当該検索要求で通知された検索条件に基づきデータベース１５を検索し（ステップ２５８）、得られた検索結果を通信Ｉ／Ｆ部１１を介して利用者端末３へ通知する（ステップ２５９）。
【００７６】
利用者端末３は、ブラウザ機能により入力支援装置１から通知された検索結果を表示欄６３Ｃへ入力して画面表示する（ステップ２６０）。この際、入力支援装置１から利用者端末３に対して検索結果のみを通知してもよく、検索条件や検索結果を記述した新たな入力支援画面用Ｗｅｂページを、入力支援装置１から利用者端末３に対して送り直し、利用者端末３で表示されている入力支援画面を更新表示してもよい。
【００７７】
この後、利用者により、表示欄６３Ｃの検索結果が確認され必要に応じて表示欄６３Ｃの内容が追加修正された後、転記ボタン６３Ｄが押下された場合、この転記操作に応じて（ステップ２６１）、利用者端末３は、当該転記ボタン６３Ｄにリンク付けされている検索結果転記処理６２Ｂのスクリプトを起動して実行する。
これに応じて、検索結果転記処理６２Ｂは、表示欄６３Ｃの検索結果を読み出し、転記先情報６２Ａの転記先に基づいて、元の入力画面用Ｗｅｂページ５０の所定入力領域のデータ入力欄へ転記し（ステップ２６２）、転記終了後、ブラウザ機能による当該入力支援画面の表示を終了する。
【００７８】
この際、転記するデータが複数欄にわたる場合には、予め表示欄６３Ｃとデータ入力欄５３Ａの間で、「都道府県」、「市区町村」、「町名・番地」などの欄ごとにＩＤや名前を用いて転記対象を対応付けておけばよい。また、入力画面用Ｗｅｂページ５０の入力支援ボタン５３Ｂ，５４Ｂの操作に応じて入力支援画面用Ｗｅｂページ６０を開いているため、入力画面用Ｗｅｂページ５０と入力支援画面用Ｗｅｂページ６０が、ブラウザ機能において親子関係となる。したがって、親画面の識別情報として汎用の識別情報を用いることができ、子画面の入力支援画面用Ｗｅｂページ６０から親画面の入力画面用Ｗｅｂページ５０を検索結果転記処理６２Ｂのスクリプトで容易に指定することができる。
【００７９】
このようにして、利用者端末３の入力画面上での入力支援操作に応じて、利用者端末３と入力支援装置１との間でデータ通信網を介してステップ２５０の入力支援処理が繰り返し実行される。
【００８０】
したがって、図６の場合、ステップ１０６において、例えば入力領域５３の入力支援ボタン５３Ｂが押下された場合には、その入力領域５３の入力領域ＩＤ「home」が入力支援要求により入力支援装置１へ通知されて、転記先情報６２Ａとして「home」が記述された入力支援画面用Ｗｅｂページ６０が入力支援装置１から利用者端末３へ送信される。これにより、ステップ１２０では、「home」を示す転記先情報６２Ａに基づいて、表示欄６３Ｃの検索結果が元の入力画面用Ｗｅｂページ５０の入力領域５３のデータ入力欄５３Ａへ転記される。
【００８１】
一方、ステップ１０６において、例えば入力領域５４の入力支援ボタン５４Ｂが押下された場合には、その入力領域５４の入力領域ＩＤ「office」が入力支援要求により入力支援装置１へ通知されて、転記先情報６２Ａとして「office」が記述された入力支援画面用Ｗｅｂページ６０が入力支援装置１から利用者端末３へ送信される。これにより、ステップ１２０では、「office」を示す転記先情報６２Ａに基づいて、表示欄６３Ｃの検索結果が元の入力画面用Ｗｅｂページ５０の入力領域５４のデータ入力欄５４Ａへ転記される。
【００８２】
このようにして、入力画面用Ｗｅｂページ５０の各入力欄に所望のデータを入力した後、利用者が登録ボタン５５を押下した場合、第１の実施の形態の図４におけるステップ１１０〜１１２と同様に、登録操作に応じて、利用者端末３は、ブラウザ機能により、当該登録ボタン５５にリンク付けされている登録処理用プログラム（Ｗｅｂアプリケーションプログラム）を指定した登録要求を、データ通信網４を介してＷｅｂサーバ２へ送信する。この際、登録要求により、入力画面のうち各入力領域に設けられているデータ入力欄５３Ａ，５４Ａなどのデータ入力欄に入力されている所望のデータがＷｅｂサーバ２へ通知される。
【００８３】
Ｗｅｂサーバ２は、この登録要求に応じて、指定された登録処理用プログラムを実行して、当該登録要求で通知された各データに基づいて利用者に関する会員登録などの登録処理を行い、一連の登録処理が終了する。
【００８４】
このように、本実施の形態は、記憶部１３により、入力支援を行う入力画面用ＷｅｂページのＵＲＬ示すＵＲＬリストを予め記憶しておき、認証確認部１６により、利用者端末３からの入力画面用Ｗｅｂページに対するアクセス要求に応じたＷｅｂサーバ２からの認証要求に応じて、当該認証要求で通知された入力画面用ＷｅｂページのＵＲＬとＵＲＬリストとを比較して認証確認を得た後、所定の許可情報を生成して利用者端末３に対する入力画面用Ｗｅｂページおよび当該許可情報の送信指示をＷｅｂサーバ２へ通知し、入力支援画面送信部１２により、Ｗｅｂサーバ２から受信した許可情報を含む利用者端末３からの入力支援要求に応じて、その許可情報に基づき当該入力支援要求の正当性を得た後、転記先情報を記述した入力支援画面用Ｗｅｂページの送信を行うようにしたので、予め登録しておいた特定の入力画面用Ｗｅｂページに対してのみ入力支援を行うことができる。
【００８５】
これにより、予め入力画面用ＷｅｂページのＵＲＬリストに登録する際、Ｗｅｂサーバ２の管理者との間で有料契約を交わすことができ、入力支援装置１の入力支援機能の一般化して複数のＷｅｂサーバ２に対して提供する場合でも、容易に有料化することができる。これにより、入力支援画面の一部に広告表示領域を設けることなく、入力支援装置１の運用利益を上げることが可能となる。
【図面の簡単な説明】
【００８６】
【図１】本発明の第１の実施の形態にかかる入力支援システムと入力支援装置の構成を示すブロック図である。
【図２】入力画面例である。
【図３】郵便番号から住所を検索する際に用いられる入力支援画面例である。
【図４】住所から郵便番号を検索する際に用いられる入力支援画面例である。
【図５】本発明の第１の実施の形態にかかる入力支援システムおよび入力支援装置の動作を示すシーケンス図である。
【図６】本発明の第１の実施の形態にかかる利用者端末と入力支援装置の動作を示す説明図である。
【図７】本発明の第１の実施の形態にかかる入力支援システムと入力支援装置の構成を示すブロック図である。
【図８】本発明の第２の実施の形態にかかる入力支援システムおよび入力支援装置の動作を示すシーケンス図である。
【図９】本発明の第２の実施の形態にかかる利用者端末と入力支援装置の動作を示す説明図である。
【符号の説明】
【００８７】
１…入力支援装置、１１…通信Ｉ／Ｆ部、１２…入力支援画面送信部、１３…記憶部、１４…データ検索部、１５…データベース（ＤＢ）、１６…認証確認部、２…Ｗｅｂサーバ、３…利用者端末、５０…入力画面用Ｗｅｂページ、５０Ａ…許可情報、５１…ヘッダ部、５２…ボディ部、５３，５４…入力領域、５３Ａ，５４Ａ…データ入力欄、５３Ｂ，５４Ｂ…入力支援ボタン、５５…登録ボタン、６０…入力支援画面用Ｗｅｂページ、６１…ヘッダ部、６２…スクリプト部、６２Ａ…転記先情報、６２Ｂ…検索結果転記処理、６３…ボディ部、６３Ａ…入力欄、６３Ｂ…検索ボタン、６３Ｃ…表示欄、６３Ｄ…転記ボタン。
【図１】
2008117259.tif 000003
【図２】
2008117259.tif 000004
【図３】
2008117259.tif 000005
【図４】
2008117259.tif 000006
【図５】
2008117259.tif 000007
【図６】
2008117259.tif 000008
【図７】
2008117259.tif 000009
【図８】
2008117259.tif 000010
【図９】
2008117259.tif 000011